Podtech/llm-jp-corpus-v4-ja_patent huggingface dataset:
【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】  入力信号を受信し、そしてデータ標本を提供するように構成され、カスケード接続された複数のＬＡ段を含むシグマ−デルタ・アナログ対ディジタル変換器（ΣΔＡＤＣ）と、
ΣΔＡＤＣに接続され、複数のΣΔ段のゼロ以上を選択的に不作動にする制御信号を提供するように構成された制御回路とを含み、制御回路は
入力信号を受信し、検出された信号を提供する一以上の検出器段、
一以上の検出器段に接続され、検出された信号を受信するように構成され、そして調整された標本を提供する調整回路、及び、
調整回路に接続され、調整された標本を受信するように構成され、そして制御信号を提供する信号処理器を含む、データ変換回路。
【請求項２】  制御回路がΣΔ段の一つの複製（レプリカ）として実施された一つの検出器段を含む、請求項１の回路。
【請求項３】  検出器段が４次のバンドパスΣΔ変調器として実施される、請求項２の回路。
【請求項４】  検出器段が２次のローパスΣΔ変調器として実施される、請求項２の回路。
【請求項５】  少なくとも一つの検出器段がΣΔ段の一つの複製として実施される、請求項１の回路。
【請求項６】  少なくとも一つの検出器段が複製されるΣΔ段の一部である次元を持つ部品で実施される、請求項５の回路。
【請求項７】  少なくとも一つの検出器段が複製されるΣΔ段のバイアス電流の一部でバイアスされる、請求項５の回路。
【請求項８】  検出された信号が入力信号の振幅を表す、請求項１の回路。
【請求項９】  一以上の検出器段はさらに検出器基準電圧を受信し、検出された信号が検出器基準電圧に対して入力信号の振幅を表す、請求項１の回路。
【請求項１０】  ゼロ以上のΣΔ段が一部分入力信号の検出された振幅に基づき不作動にされる、請求項１の回路。
【請求項１１】  検出された振幅が第一の信号レベル以下になれば第一のΣΔ段が不作動にされる、請求項１０の回路。
【請求項１２】  検出された振幅が第二の信号レベル以下になれば第二のΣΔ段が不作動にされる、請求項１１の回路。
【請求項１３】  検出された振幅が第三の信号レベルを越えれば全てのΣΔ段が作動される、請求項１０の回路。
【請求項１４】  ΣΔ段は一部分ΣΔＡＤＣ内のΣΔ段の相対的位置に基づいて不作動にされる、請求項１０の回路。
【請求項１５】  調整回路は、
検出された信号及び比較信号を受信し、
検出された信号及び比較信号を比較し、
比較の結果に基づいて調整された標本を提供するように構成された比較回路を含む、請求項１の回路。
【請求項１６】  比較回路はスイッチド・キャパシタ回路を用いて実施される、請求項１５の回路。
【請求項１７】  ΣΔＡＤＣは二つのΣΔ段を含み、各ΣΔ段は４次のバンドパスΣΔ変調器を含む、請求項１の回路。
【請求項１８】  ΣΔＡＤＣは二つのΣΔ段を含み、各ΣΔ段は２次のローパスΣΔ変調器を含む、請求項１の回路。
【請求項１９】  ΣΔＡＤＣは二重標本化ΣΔＡＤＣである、請求項１の回路。
【請求項２０】  ΣΔＡＤＣは四重標本化ΣΔＡＤＣである、請求項１の回路。
【請求項２１】  制御回路は少なくとも一つの基準信号を提供するように構成された基準発生器をさらに含む、請求項１の回路。
【請求項２２】  請求項１のデータ変換回路を含むＣＤＭＡ受信器。
【請求項２３】  少なくとも一つの検出器段がΣΔ段の一つの複製（レプリカ）として実施される、一以上の検出器段でΣΔＡＤＣに供給された入力信号の特性を検出すること、
比較レベルに対して検出された特性を比較すること、
一部、比較に基づいて制御信号を生成すること、
制御信号に従ってゼロ以上のΣΔ段を選択的に不作動にすること
を含む、シグマ−デルタ・アナログ対ディジタル変換器（ΣΔＡＤＣ）中のΣΔ段を制御する方法。
【請求項２４】  検出された特性が信号振幅である、請求項２３の方法。
【請求項２５】  選択的に不作動にすることは検出された信号振幅が第一の信号レベル以下になれば第一のΣΔ段を不作動にすることを含む、請求項２４の方法。
【請求項２６】  選択的に不作動にすることは検出された信号振幅が第二の信号レベル以下になれば第二のΣΔ段を不作動にすることを含む、請求項２５の方法。
【請求項２７】  選択的に不作動にすることは検出された信号振幅が第三の信号レベルを越えれば全てのΣΔ段を作動させることを含む、請求項２４の方法。
【請求項２８】  検出することは、
検出器基準レベル受信すること、
検出された信号が入力信号の振幅を表している、一部、入力信号及び検出器信号レベルに基づいて検出された信号を生成することを含む、請求項２３の方法。
【請求項２９】  入力信号を受信し、出力信号を提供するように構成され、特定の構成に接続された複数のＮ信号段を含む多段回路と、
多段回路に接続され、Ｎ信号段のゼロ以上を選択的に不作動化する制御信号を提供するように構成された制御回路とを含み、制御回路は、
入力信号を受信し、検出された信号を提供するように構成された一以上の検出器段、
一以上の検出器段に接続され、検出された信号を受信し、調整された信号を提供する調整回路、及び
調整回路に接続され、調整された信号を受信し、制御信号を提供する信号処理器を含む電子回路。
【請求項３０】  検出された信号が入力信号の振幅を表す、請求項２９の回路。
【請求項３１】  ゼロ以上の信号段は、一部、入力信号の検出された振幅に基づいて不作動にされる、請求項２９の回路。
【請求項３２】  少なくとも一つの検出器段は信号段の一つの複製として実施される、請求項２９の回路。
【請求項３３】  少なくとも一つの検出器段は複製される信号段の一部である次元をもつ部品で実施される、請求項３２の回路。
【請求項３４】  少なくとも一つの検出器段は複製される信号段のバイアス電流の一部でバイアスされる、請求項３２の回路。
【請求項３５】  少なくとも一つの検出器段は複製される信号段の周波数応答と類似する周波数応答を持つように構成される、請求項３２の回路。
【請求項３６】  信号段はカスケード接続される、請求項２９の回路。
【請求項３７】  信号段は並列に接続される、請求項２９の回路。
【請求項３８】  複数の信号段を含む多段回路を制御するための制御回路であって、
少なくとも一つの検出器段が信号段の一つの複製として実施され、入力信号を受信し、検出された信号を提供するように構成された一以上の検出器段と、
一以上の検出器段に接続され、検出された信号を受信し、調整された信号を提供するように構成された調整回路と、
調整回路に接続され、調整された信号を受信し、制御信号を提供するように構成された信号処理器とを含み、制御信号が多段回路中のゼロ以上の信号段を選択的に不作動にする制御回路。
【請求項３９】  多段回路はΣΔＡＤＣである、請求項３８の回路。
【手続補正書】
【提出日】平成15年12月3日(2003.12.3)
【手続補正１】
【補正対象書類名】特許請求の範囲
【補正対象項目名】全文
【補正方法】変更
【補正の内容】
【特許請求の範囲】
【請求項１】
（ａ）局部振動周波数を有する基準信号を受信し、比較周波数を有する比較信号を出力するために構成される第１の分周器と、
（ｂ）前記局部振動周波数を有する前記基準信号を受信し、中間周波数を有する送信ループ信号を出力するために構成されるミキサーと、
（ｃ）中間周波数を有する前記送信ループ信号を受信し、分割周波数を有する分割周波数信号を出力するために構成される第２の分周器と、
（ｄ）前記比較信号と前記分割周波数を有する前記分割周波数信号との比較に基づく送信信号を出力する可変制御発信器
とを備える無線通信装置。
【請求項２】
前記第１の分周器及び前記第２の分周器は、プログラム可能な分周器である請求項１に記載の無線通信装置。
【請求項３】
前記基準信号は、シンセサイザにより生成される請求項１に記載の無線通信装置。
【請求項４】
前記第１の分周器によって受信する前に、前記基準信号は第３の分周器によって処理される請求項１に記載の無線通信装置。
【請求項５】
（ｅ）前記基準信号を受信し、前記基準信号を使用して受信したキャリア波形を処理するダウンコンバータ
を更に備える請求項１に記載の無線通信装置。
【請求項６】
前記第２の分周器によって受信する前に、前記ミキサーの出力は、変調器によって処理される請求項１に記載の無線通信装置。
【請求項７】
前記可変制御発振器は、電圧制御発振器である請求項１に記載の無線通信装置。
【請求項８】
（ｅ）前記第１の分周器及び前記第２の分周器をプログラムするための分割比率を含む周波数方式テーブル
を更に備える請求項２に記載の無線通信装置。
【請求項９】
（ａ）局部振動周波数を有する基準信号を受信し、比較周波数を有する比較信号を出力するために構成される第１の分周手段と、
（ｂ）前記局部振動周波数を有する前記基準信号を受信し、中間周波数を有する送信ループ信号を生成する送信ループ信号ミキシング手段と、
（ｃ）前記中間周波数を有する前記送信ループ信号を受信し、分割周波数を有する分割周波数信号を出力するために構成される第２の分周手段と、
（ｄ）前記比較信号と前記分割周波数信号との比較に基づく送信信号を出力する発振手段
とを備えることを特徴とする情報送信システム。
【請求項１０】
前記第１の分周手段及び前記第２の分周手段は、プログラム可能な分周手段である請求項９に記載の情報送信システム。
【請求項１１】
前記基準信号は、シンセサイザによって生成される請求項９に記載の情報送信システム。
【請求項１２】
前記第１の分周手段によって受信する前に、前記基準信号は他の分周手段によって処理される請求項９に記載の情報送信システム。
【請求項１３】
（ｅ）前記基準信号を受信し、前記基準信号を利用して、受信したキャリア波形を処理するキャリア波形ダウンコンバージョン手段
を更に備える請求項９に記載の情報送信システム。
【請求項１４】
前記第２の分周手段によって受信する前に、変調器によって前記送信ループ信号ミキシング手段の出力が処理される請求項９に記載の情報送信システム。
【請求項１５】
前記発振手段は、電圧制御発振手段である請求項９に記載の情報送信システム。
【請求項１６】
（ｅ）前記第１の分周手段の操作を制御する周波数方式手段
を更に備える請求項１０に記載の情報送信システム。
【請求項１７】
（ａ）局部振動周波数を有する基準信号を受信し、比較周波数を有する比較信号を出力するために構成される第１の分周ロジックと、
（ｂ）前記局部振動周波数を有する前記基準信号を受信し、中間周波数を有する送信ループ信号を生成するために構成される送信ループ信号生成ロジックと、
（ｃ）前記中間周波数を有する前記送信ループ信号を受信し、分割周波数を有する分割周波数信号を出力するために構成される第２の分周ロジックと、
（ｄ）前記比較信号と前記分割周波数信号との比較に基づく送信信号を出力する発振ロジック
とを備えることを特徴とする情報を送信するプログラムを記憶したコンピュータ読みとり可能な記憶媒体。
【請求項１８】
前記第１の分周ロジック及び前記第２の分周ロジックは、プログラム可能な分周ロジックである請求項１７に記載の記憶媒体。
【請求項１９】
前記基準信号は、シンセサイザによって生成される請求項１７に記載の記憶媒体。
【請求項２０】
前記基準信号は、前記第１の分周ロジックによって受信する前に、分周器によって処理される請求項１７に記載の記憶媒体。
【請求項２１】
（ｅ）前記基準信号を受信し、前記基準信号を利用して、受信したキャリア波形を処理するキャリア波形ダウンコンバージョンロジック
を更に備える請求項１７に記載の記憶媒体。
【請求項２２】
前記第２の分周ロジックによって受信する前に、変調器によって前記送信ループ信号生成ロジックの出力が処理される請求項１７に記載の記憶媒体。
【請求項２３】
（ｅ）前記第１の分周ロジックと前記第２の分周ロジックをプログラムするための分周比率を含む周波数方式テーブルロジック
を更に備える請求項１８に記載の記憶媒体。
【手続補正書】
【提出日】平成17年3月17日(2005.3.17)
【手続補正１】
【補正対象書類名】特許請求の範囲
【補正対象項目名】請求項１１
【補正方法】変更
【補正の内容】
【請求項１１】
前記判断するステップはさらに、前記第１の複数ディスプレイストリームの各ディスプレイストリームについて、ビデオフレームの実際の送信時間が、所定の許容範囲内の予測時間に適合しているかどうかを判断するステップを含む請求項９に記載の方法。
【手続補正書】
【提出日】平成15年9月9日(2003.9.9)
【手続補正１】
【補正対象書類名】特許請求の範囲
【補正対象項目名】全文
【補正方法】変更
【補正の内容】
【特許請求の範囲】
【請求項１】
第１のＭ列内の予め定められた位置からのビットと各ストリームビットとの排他的論理和をとることによって該各ストリームビットを符号化するステップと、符号化する連続したストリームビット間で前記Ｍ列を更新するステップと、を備えることを特徴とするビットストリームを符号化する方法。
【請求項２】
請求項１に記載の方法において、前記第１のＭ列を更新するステップは、前記更新が生じる２つの連続するストリームビットの後の方のレベルに従って、前記第１のＭ列を回転するステップ、および、それから前記第１のＭ列に第２のＭ列を加えるステップ、を備えることを特徴とするビットストリームを符号化する方法。
【請求項３】
請求項２に記載の方法において、前記第１のＭ列を回転するステップは、前記第１のＭ列の一端からの幾つかのビットを他端に移動するステップを備えることを特徴とするビットストリームを符号化する方法。
【請求項４】
請求項２または３に記載の方法において、前記第２のＭ列は、インパルス応答ワードまたはその回転されたバージョンであることを特徴とするビットストリームを符号化する方法。
【請求項５】
伝送するように予定されたビットストリームのためのエラーチェック情報を生成する方法であって、請求項１〜４のいずれか１項に記載の方法によって、前記ビットストリームを符号化することによりエラーチェック情報の第１のストリームを発生するステップと、前記ビットストリームをインターリーブするステップと、請求項１〜４のいずれか１項に記載の方法によって、前記インターリーブされたビットストリームを符号化することによりエラーチェック情報の第２のストリームを発生するステップと、を備えることを特徴とするエラーチェック情報を生成する方法。
【請求項６】
請求項１〜５のいずれか１項に記載の方法を実行するデータ処理装置のためのプログラム。
【請求項７】
ビットストリームを符号化する符号化装置であって、第１のＭ列内の予め定められた位置からのビットと各ストリームビットとの排他的論理和をとることによって該各ストリームビットのための符号化ビットを生成するために設けられた符号化手段と、符号化する連続したストリームビット間で前記Ｍ列を更新するために設けられた更新手段と、を備えることを特徴とするビットストリームを符号化する符号化装置。
【請求項８】
請求項７に記載の符号化装置において、前記更新手段は、前記更新が生じる２つの連続するストリームビットの後の方のレベルに従って、前記第１のＭ列を回転する回転手段、および、回転の後、前記第１のＭ列に第２のＭ列を加える加算手段、を備えることを特徴とするビットストリームを符号化する符号化装置。
【請求項９】
請求項８に記載の符号化装置において、前記回転手段は、前記第１のＭ列の一端からの幾つかのビットを他端に移動することによって該第１のＭ列を回転するように設けられていることを特徴とするビットストリームを符号化する符号化装置。
【請求項１０】
請求項８または９に記載の符号化装置において、前記第２のＭ列は、インパルス応答ワードまたはその回転されたバージョンであることを特徴とするビットストリームを符号化する符号化装置。
【請求項１１】
伝送するように予定されたビットストリームのためのエラーチェック情報を生成する符号器であって、エラーチェック情報の第１のストリームを生成するために前記ビットストリームにより動作するように設けられた請求項７〜１０のいずれか１項に記載の第１の符号化装置と、前記ビットストリームをインターリーブされたビットストリームにインターリーブするように設けられたインターリーバと、エラーチェック情報の第２のストリームを生成するために前記インターリーブされたビットストリームにより動作するように設けられた請求項７〜１０のいずれか１項に記載の第２の符号化装置と、を備えることを特徴とする符号器。
【手続補正２】
【補正対象書類名】明細書
【補正対象項目名】発明の名称
【補正方法】変更
【補正の内容】
【発明の名称】ビットストリームを符号化する方法および装置
【手続補正３】
【補正対象書類名】明細書
【補正対象項目名】００１５
【補正方法】変更
【補正の内容】
【００１５】
【数１】
2004529542.tif 000001
【手続補正書】
【提出日】平成17年4月22日(2005.4.22)
【手続補正１】
【補正対象書類名】特許請求の範囲
【補正対象項目名】全文
【補正方法】変更
【補正の内容】
【特許請求の範囲】
【請求項１】
スキャンされるドキュメントページをフィードするドキュメントフィーダと、スキャン可能なより広い幅に対して横方向に調整され得る少なくとも第１の所定のスキャンラインウィンドウ幅をスキャンすることが可能なスキャニングヘッドを有するスキャナとを備えるタイプの周辺デバイスを較正する方法であって、
既知の位置に標的を有する標的ページが前記スキャナによってスキャンされるように、前  記標的ページを前記ドキュメントフィーダにフィードするステップと、
前記標的ページ上の前記標的をスキャンするステップと、
前記スキャンされた標的の横方向の位置から前記ドキュメントフィーダに対する較正値を決定するステップと、
前記ドキュメントの実質的に幅全体のみをスキャンするように、前記較正値を用いて前記スキャンラインウィンドウ幅の横方向の位置を調整するステップと、を含み、
前記較正値を決定するステップは、前記標的をスキャンする画素のセットを決定するステップと、前記スキャンされた標的を読み出す前記画素のセットの横方向の中心に関連する画素値を決定するステップと、前記画素値を用いて該較正値を決定するステップと、を含むことを特徴とする周辺デバイスを較正する方法。
【請求項２】
前記周辺デバイスはプリンタを備え、前記フィードするステップの前にページ上の既知の位置で所定の標的をプリントするステップをさらに含むことを特徴とする請求項１に記載の周辺デバイスを較正する方法。
【請求項３】
前記格納された標的は、前記標的ページの中心から垂直方向に下がったところにプリントされるように較正された垂直線を含むことを特徴とする請求項１に記載の周辺デバイスを較正する方法。
【請求項４】
前記格納された標的は、前記スキャナ、プリンタ、およびドキュメントフィーダのうちの少なくとも１つに格納されることを特徴とする請求項２に記載の周辺デバイスを較正する方法。
【請求項５】
前記標的の前記標的ページをスキャンするステップと、
前記標的画像が見出せない場合には、前記標的をスキャンするステップの間にエラーフラグを設定するステップと、
をさらに含むことを特徴とする請求項１に記載の周辺デバイスを較正する方法。
【請求項６】
前記標的は、実質的に、前記標的ページの先端エッジに配置されていることを特徴とする請求項１に記載の周辺デバイスを較正する方法。
【請求項７】
前記周辺デバイスを較正する方法は、前記標的ページをフィードするステップの後にユーザが入力することなく成し遂げられることを特徴とする請求項２に記載の周辺デバイスを較正する方法。
【請求項８】
プリンタおよびドキュメントフィーダを備えたスキャナを較正する方法であって、
格納された標的から標的ページをプリントするステップであって、前記プリントにより、既知の位置に前記標的を有する標的ページを生成するステップと、
前記スキャナによって、スキャニングのための位置まで、前記ドキュメントフィーダで前記標的ページをフィードするステップと、
前記標的がスキャンされるように、前記標的ページをスキャンするステップと、
前記スキャンされた標的の位置に基づいて、前記スキャナのスキャンラインウインドウ幅を調整するための較正値を決定するステップと、
前記較正値を用いて前記スキャナを較正するステップと、
を含むスキャナを較正する方法。
【請求項９】
前記スキャナ、プリンタ、ドキュメントフィーダのうちの少なくとも１つに前記較正値を格納するステップをさらに含むことを特徴とする請求項８に記載のスキャナを較正する方法。
【請求項１０】
スキャンされるドキュメントページをフィードするドキュメントフィーダと、スキャン可能なより広い幅に対して横方向に調整され得る少なくとも第１の所定のスキャンラインウィンドウ幅をスキャンすることが可能なスキャニングヘッドを有するスキャナとを備えるタイプの周辺デバイスを較正する方法であって、
既知の位置に標的を有する標的ページが前記スキャナによってスキャンされるように、前 記標的ページを前記ドキュメントフィーダにフィードするステップと、
前記標的ページ上の前記標的をスキャンするステップと、
前記スキャンされた標的の横方向の位置から前記ドキュメントフィーダに対する較正値を決定するステップと、
前記ドキュメントの実質的に幅全体のみをスキャンするように、前記較正値を用いて前記スキャンラインウィンドウ幅の横方向の位置を調整するステップと、を含み、
前記スキャンラインウィンドウ幅の横方向の位置を調整するステップは、ユーザによって選択される前記ドキュメントの幅をスキャンするために必要な画素の数を決定するステップと、前記較正値および前記必要な画素の数を用いるステップであって、前記ドキュメントに対する前記スキャンラインウィンドウ幅を決定するステップと、を含むことを特徴とする周辺デバイスを較正する方法。
【手続補正書】
【提出日】平成16年1月15日(2004.1.15)
【手続補正１】
【補正対象書類名】特許請求の範囲
【補正対象項目名】全文
【補正方法】変更
【補正の内容】
【特許請求の範囲】
【請求項１】
プログラマブルロジックデバイスであって、
中央処理装置と、
前記中央処理装置に結合されるプログラマブルインターフェイスとを含み、前記プログラマブルインターフェイスは、コアを含み、前記プログラマブルロジックデバイスはさらに、
前記プログラマブルインターフェイスを介して情報を前記中央処理装置へ提供すること、および前記プログラマブルインターフェイスを介して情報を前記中央処理装置から受取ることのうちの一方のための第１のデバイスを含む、プログラマブルロジックデバイス。
【請求項２】
複数のデバイスをさらに含み、各デバイスは、前記プログラマブルインターフェイスを介して情報を前記中央処理装置に提供すること、前記プログラマブルインターフェイスを介して情報を前記中央処理装置から受取ること、および前記プログラマブルインターフェイスを介して別のデバイスと通信することのうちの１つのためにある、請求項１に記載のプログラマブルロジックデバイス。
【請求項３】
前記プログラマブルインターフェイスは、前記複数のデバイスを結合するためのクロスポイントスイッチを含み、
前記クロスポイントスイッチは、アドレス／制御経路およびデータ経路を含む、請求項２に記載のプログラマブルロジックデバイス。
【請求項４】
前記アドレス／制御経路は、第１のプログラマブルリソースセットから形成され、前記データ経路は、第２のプログラマブルリソースセットから形成される、請求項３に記載のプログラマブルロジックデバイス。
【請求項５】
前記アドレス／制御経路およびデータ経路は、トリミング可能である、請求項３に記載のプログラマブルロジックデバイス。
【請求項６】
前記クロスポイントスイッチは、パラメータ表示可能である、請求項３に記載のプログラマブルロジックデバイス。
【請求項７】
前記プログラマブルインターフェイスに結合される周辺バスをさらに含み、
ブリッジモジュールが、前記周辺バスを前記プログラマブルインターフェイスに結合する、請求項２に記載のプログラマブルロジックデバイス。
【請求項８】
前記複数のデバイスからの第１のデバイスグループが、前記周辺バスに結合され、前記ブリッジモジュールを介して前記プログラマブルインターフェイスに結合される、請求項７に記載のプログラマブルロジックデバイス。
【請求項９】
前記複数のデバイスからの第２のデバイスグループは、前記ブリッジモジュールを介して前記プログラマブルインターフェイスに接続されない、請求項８に記載のプログラマブルロジックデバイス。
【請求項１０】
前記第１のデバイスグループは、ユーザによって指定される複数のコアを含む、請求項８に記載のプログラマブルロジックデバイス。
【請求項１１】
少なくとも１つのコアが、マスタ／スレーブ機能、または、マスタ機能またはスレーブ機能を提供する、請求項１０に記載のプログラマブルロジックデバイス。
【請求項１２】
少なくとも１つのメモリデバイスをさらに含み、前記少なくとも１つのメモリデバイスは、前記第２のデバイスグループの一部である、請求項９に記載のプログラマブルロジックデバイス。
【請求項１３】
オフチップデバイスをさらに含み、前記オフチップデバイスは、前記第２のデバイスグループの一部であり、
前記オフチップデバイスは、ダブルデータレートデバイスまたはメモリデバイスを含む、請求項９に記載のプログラマブルロジックデバイス。
【請求項１４】
前記プログラマブルインターフェイスおよび前記周辺バスに結合される高速バスインターフェイスをさらに含み、前記高速バスインターフェイスは、オフチップデバイスに対して通信を提供する、請求項７に記載のプログラマブルロジックデバイス。
【手続補正書】
【提出日】平成16年2月4日(2004.2.4)
【手続補正１】
【補正対象書類名】特許請求の範囲
【補正対象項目名】全文
【補正方法】変更
【補正の内容】
【特許請求の範囲】
【請求項１】
画像を生成した装置のカラープロパティを記述した情報を取得し、
前記画像に対応したラスタ画像データ内に、前記情報を、ステガノグラフを用いて実質的にユーザに対する前記画像の視覚的体裁に影響しないように埋め込む、
ことを特徴とする方法。
【請求項２】
前記情報はカラープロファイルを含み、前記カラープロファイルはスペクトルプロファイル及び色彩プロファイルのうちの１つを含み、前記方法は、前記画像から前記カラープロファイルを抽出する、ことをさらに有する請求項１に記載の方法。
【請求項３】
カラープロパティを記述した前記情報は前記画像のカラープロファイルのネットワークでの位置を示すパスを含み、前記パスはインターネットのユニフォームリソースリロケータである、請求項１に記載の方法。
【請求項４】
前記情報は領域を含み、ステガノグラフを用いて情報を埋め込むことは、ステガノグラフを用いて前記情報を前記領域に埋め込むことを含む、請求項１に記載の方法。
【請求項５】
前記画像内にインジケータを埋め込むことをさらに有し、前記インジケータは前記画像のカラープロパティを記述した情報がステガノグラフを用いて前記情報内に格納されており、前記インジケータは前記画像のカラープロパティを記述した情報がステガノグラフを用いて前記画像内のどこに格納されているかを特定する、請求項１に記載の方法。
【手続補正書】
【提出日】平成17年4月13日(2005.4.13)
【手続補正１】
【補正対象書類名】特許請求の範囲
【補正対象項目名】全文
【補正方法】変更
【補正の内容】
【特許請求の範囲】
【請求項１】
電子イメージセンサ（２０２）を使用して対象シーンを電子的に捕捉する方法において、
前記電子イメージセンサの基板（３０２）に第１の電圧（４０６）を供給するステップ（５０４）と、
前記対象シーンからの入射光に対し前記電子イメージセンサを既定の露出期間だけ露出させて、前記電子イメージセンサに電荷を蓄積するステップ（５０４）と、
前記既定の露出期間後に、前記電子イメージセンサの前記基板に、前記第１の電圧より低い電圧である第２の電圧（４１０）を供給するステップ（５０８）と、
前記電子イメージセンサから前記電荷を出力するステップ（５１２）
を含む方法。
【請求項２】
前記基板（３０２）に前記第２の電圧（４１０）を供給する前記ステップ（５０８）は、前記電子イメージセンサ（２０２）のイメージエリア（２０４）の前記基板にのみ前記第２の電圧を供給するステップである、請求項１に記載の方法。
【請求項３】
前記入射光に対し前記電子イメージセンサ（２０２）を露出させる前記ステップ（５０４）は、前記電子イメージセンサの前記イメージエリア（２０４）のみを前記対象シーンからの前記入射光に対して前記既定の露出期間だけ露出させて、前記電子イメージセンサの前記イメージエリアに前記電荷を蓄積するステップである、請求項２に記載の方法。
【請求項４】
前記電子イメージセンサ（２０２）の前記イメージエリア（２０４）から前記電荷を前記電子イメージセンサの記憶エリア（２０６）に転送するステップ（５１０）をさらに含み、前記記憶エリアは前記イメージエリアより小さいことからなる、請求項３に記載の方法。
【請求項５】
前記電子イメージセンサ（２０２）の前記基板（３０２）に前記第２の電圧（４１０）を供給する前記ステップ（５０８）に先立ち、前記対象シーンからの前記入射光を遮蔽するために機械式シャッタを閉じるステップ（５０６）をさらに含む、請求項１乃至４のいずれかに記載の方法。
【請求項６】
対象シーンをデジタル的に取込むための装置において、
基板（３０２）を有する電子イメージセンサ（２０２）と、
前記電子イメージセンサに動作可能に結合されて、前記電子イメージセンサの前記基板に第１の電圧（４０６）および第２の電圧（４１０）を供給する基板駆動回路（２２２）であって、該基板駆動回路は、前記電子イメージセンサを前記対象シーンからの入射光に露出させて前記電子イメージセンサに電荷を蓄積する露出期間中、前記電子イメージセンサの前記基板に前記第１の電圧を供給するように構成され、該基板駆動回路は、さらに、前記露出期間後に、前記電子イメージセンサの前記基板に、前記第１の電圧より低い電圧である前記第２の電圧を供給するように構成されることからなる、基板駆動回路（２２２）と、
前記電子イメージセンサに結合されて、前記電子イメージセンサからの前記電荷を出力する出力レジスタ（２０８）
を備える、装置。
【請求項７】
前記電子イメージセンサ（２０２）は、イメージエリア（２０４）と記憶エリア（２０６）とを有し、前記記憶エリアは前記イメージエリアより小さい、請求項６に記載の装置。
【請求項８】
前記基板駆動回路（２２２）は、前記電子イメージセンサ（２０２）の前記イメージエリア（２０４）の前記基板（３０２）にのみ前記第１および第２の電圧（４０６、４１０）を供給するように構成される、請求項７に記載の装置。
【請求項９】
前記電子イメージセンサ（２０２）に結合されて、前記電子イメージセンサの前記イメージエリア（２０４）から前記電子イメージセンサの前記記憶エリア（２０６）に前記電荷を転送するように構成された垂直駆動回路（２１８）をさらに備える、請求項７または８に記載の装置。
【請求項１０】
前記電子イメージセンサ（２０２）は電荷結合素子を含む、請求項６乃至９のいずれかに記載の装置。
【手続補正書】
【提出日】平成16年12月10日(2004.12.10)
【手続補正１】
【補正対象書類名】特許請求の範囲
【補正対象項目名】全文
【補正方法】変更
【補正の内容】
【特許請求の範囲】
【請求項１】
ＯＦＤＭＡシステム内でサブキャリアを割り当てる際に使用する方法において、
少なくとも１つのサブキャリアのダイバーシティクラスタを第１の加入者に割り当てる段階と、
少なくとも１つのコヒーレンスクラスタを第２の加入者に割り当てる段階であって、前記少なくとも１つのダイバーシティクラスタと前記少なくとも１つのコヒーレンスクラスタをそれぞれ同時に使用することによって前記第１及び第２の加入者との通信が生じ得る前記段階と、から成ることを特徴とする方法。
【請求項２】
周波数ホッピングを実行しながら、１つのダイバーシティクラスタを使用して情報を送信する段階を更に含んでいることを特徴とする請求項１に記載の方法。
【請求項３】
前記１つのダイバーシティクラスタを使用する段階は、前記１つのダイバーシティクラスタのサブキャリア全体に亘るチャネル符合化段階を含んでいることを特徴とする請求項１に記載の方法。
【請求項４】
各符号ワードが複数のサブキャリアから送信されたビットを含んでおり、符合ワード間の差ビットは複数のサブキャリアの間で分配されるようになっている符合ワードを送信する段階を更に含んでいることを特徴とする請求項１に記載の方法。
【請求項５】
１つのコヒーレンスクラスタのサブキャリアは、基地局と加入者の間のチャネルのコヒーレンス帯域幅内にあることを特徴とする請求項１に記載の方法。
【請求項６】
セル内の移動中の加入者と静止している加入者の人口が変化した時には、クラスタ分類を再構成する段階を更に含んでいることを特徴とする請求項１に記載の方法。
【請求項７】
ＯＦＤＭＡシステム内でサブキャリアを割り当てる際に使用するための方法において、
加入者が移動しているか静止しているかを判定する段階と、
前記加入者が移動していると判定された場合は、前記加入者に少なくとも１つのサブキャリアのダイバーシティクラスタを割り当てる段階と、
前記加入者が静止していると判定された場合は、前記加入者に少なくとも１つのサブキャリアのコヒーレンスクラスタを割り当てる段階と、から成ることを特徴とする方法。
【請求項８】
加入者が移動しているか静止しているかを判定する前記段階は、パイロット信号の変化速度を検出する段階と、前記変化速度が事前に設定された量よりも大きい場合には加入者は移動中であると表示する段階と、から成ることを特徴とする請求項７に記載の方法。
【請求項９】
加入者が移動しているか静止しているかを判定する前記段階は、チャネル変動を周期的に測定する段階から成ることを特徴とする請求項７に記載の方法。
【請求項１０】
加入者が移動しているか静止しているかを判定する前記段階は、各クラスタ毎にパイロット記号の間のパワー差を測定する段階と、タイムスロットのウインドウに亘って前記差を平均化する段階と、から成ることを特徴とする請求項７に記載の方法。
【請求項１１】
前記タイムスロットのウインドウは、タイムスロットの移動ウインドウを備えていることを特徴とする請求項１０に記載の方法。
【請求項１２】
加入者と、
前記加入者と通信可能に接続されており、サブキャリアアロケータと変動検出器とを備えている基地局と、を備え、
前記変動検出器は、チャネル変動を検出するためのものであり、前記サブキャリアアロケータは、前記変動検出器によるチャネル変動検出の結果に基づいて、１つ又は複数のサブキャリアのダイバーシティクラスタか、又は１つ又は複数のサブキャリアのコヒーレンスクラスタの何れかを、前記加入者に割り当てることを特徴とする装置。
【請求項１３】
前記変動検出器は、各クラスタ毎にパイロット記号の間のパワー差を測定し、タイムスロットのウインドウに亘って差を平均化することを特徴とする請求項１２に記載の装置。
【請求項１４】
前記タイムスロットのウインドウは、タイムスロットの移動ウインドウを備えていることを特徴とする請求項１３に記載の装置。
【請求項１５】
ＯＦＤＭＡシステム内でサブキャリアを割り当てる際に使用する装置において、
加入者が移動しているか静止しているかを判定するための手段と、
前記加入者が移動していると判定された場合は、少なくとも１つのサブキャリアのダイバーシティクラスタを前記加入者に割り当てるための手段と、
前記加入者が静止していると判定された場合は、少なくとも１つのサブキャリアのコヒーレンスクラスタを前記加入者に割り当てるための手段と、を備えていることを特徴とする装置。
【請求項１６】
前記第１の加入者と前記第２の加入者の特性を判定する段階を更に備え、前記第１の加入者に割り当てる段階及び前記第２の加入者に割り当てる段階は、前記特性に基づく請求項１に記載の方法。
【請求項１７】
前記特性は、前記第１の及び前記第２の加入者が、静止している加入者かどうか、若しくは、移動している加入者かどうか、を備える請求項１６に記載の方法。
【請求項１８】
前記第１の若しくは第２の加入者のいずれかへクラスタの割当を適応的に切り替える段階であって、チャネル状態及び加入者特性に基づいて、少なくとも１つのサブキャリアのコヒーレンスクラスタを前記第１の加入者に割り当て、少なくとも１つのサブキャリアのダイバーシティクラスタを前記第２の加入者に割り当てるようにした前記段階を更に備える請求項１に記載の方法。
【手続補正書】
【提出日】平成15年8月15日(2003.8.15)
【手続補正１】
【補正対象書類名】特許請求の範囲
【補正対象項目名】全文
【補正方法】変更
【補正の内容】
【特許請求の範囲】
【請求項１】
互いに通信する少なくとも２つのターミナルと、
第１当事者のターミナルで制御するために、第２当事者に関連したデータオブジェクトにアクセスできるようにするインターフェイスモジュールと、
データオブジェクトが第１当事者のターミナルによりアクチベートされるたびに少なくとも第２当事者の所定ターミナルに実質的に瞬時に送信されるべき通知メッセージと、
を備えたターミナル間の通信システム。
【請求項２】
上記データオブジェクトは、そのデータオブジェクトのソース、オリジネーター、ターゲット及び対象者の少なくとも１つに関する関連性データを含む請求項１に記載の通信システム。
【請求項３】
インターフェイスモジュールを経てアクセスできる上記データオブジェクトは、第１当事者のターミナル及び第１当事者にアクセスできるネットワーク要素の一方に記憶される請求項１に記載の通信システム。
【請求項４】
上記第２当事者の所定のターミナルは、更に、通知メッセージを受け取るためのトランシーバーと、第２ターミナルで通知メッセージを受け取る際に第２当事者により感知されるべき触覚信号、聴覚信号及び視覚信号の少なくとも１つを与えるための手段とを備えた請求項１に記載の通信システム。
【請求項５】
触覚信号を与える上記手段は、振動、変形及び温度変化の少なくとも１つを与える手段を含む請求項４に記載の通信システム。
【請求項６】
第２当事者により感知されるべき触覚信号を与える上記手段は、ショートレンジ通信リンクで第２ターミナルにワイヤレスリンクされた装置により第２当事者に触覚信号を与えるための手段を含む請求項４に記載の通信システム。
【請求項７】
上記アクチベートされるべきデータオブジェクトは、ｅ−メール、コンタクトディレクトリエントリー、電話帳エントリー、ショートメッセージサービスのメッセージ、テキストメッセージ、イメージ、ピクチャー、ビデオクリップ、オーディオクリップ及び第２当事者に関連したアニメーションの少なくとも１つを含む請求項１に記載の通信システム。
【請求項８】
通信システムのターミナル間にメッセージを通信する方法であって、
第２当事者に関連したデータオブジェクトを第１当事者のターミナルでインターフェイスモジュールを経てアクチベートし、そして
上記データオブジェクトが第１当事者のターミナルによりアクチベートされるたびに少なくとも第２当事者の所定ターミナルに実質的に瞬時に通知メッセージを送信する、
という段階を備えた方法。
【請求項９】
インターフェイスモジュールを経てアクセスできる上記データオブジェクトは、第１当事者のターミナル及び第１当事者にアクセスできるネットワーク要素の一方に記憶される請求項８に記載の方法。
【請求項１０】
第１当事者のターミナル及び第１当事者にアクセスできるネットワーク要素の一方に第２当事者に関するコンタクト情報を記憶する段階を更に備えた請求項８に記載の方法。
【請求項１１】
データオブジェクトをアクチベートする上記段階は、データオブジェクトをアクセスし、読み取り、書き込み、描写し、編集し、コピーし、転送し、移動し、再ネーミングし、合成し、その詳細を示し、メッセージをアタッチし、使用し、聴取し、そして見るという動作の１つを含む請求項８に記載の方法。
【請求項１２】
他のターミナルと通信する移動ターミナルにおいて、
プロセッサと、
記憶装置と、
プロセッサにおいて動作するソフトウェア手段とを備え、該ソフトウェア手段は、
当事者の識別された通信パートナーをリストするデータベースを記憶装置に維持するための手段と、
上記識別された通信パートナーにデータオブジェクトを関連させる手段と、
その関連されたデータオブジェクトのいずれかがアクチベートされるかどうかを周期的に走査するための手段と、
データオブジェクトの１つがアクチベートされるたびに上記識別された通信パートナーの少なくとも１つに通知メッセージを実質的に瞬時に送信するための手段とを含む移動ターミナル。
【請求項１３】
ワイヤレス通信ネットワークで動作している第１当事者のターミナルに、第２当事者が第１当事者の電子的表示を操作したことを通知するための方法において、
第１当事者をその第１当事者の電子的表示に関連させ、
入力装置を使用して第１当事者に関連した電子的表示を第２当事者により操作し、そして
第１当事者に関連した電子的表示を操作する際に第２当事者から第１当事者へ通知を送信する、
という段階を備えた方法。
【請求項１４】
電子的表示を操作しそして通知を送信する上記段階は、移動ターミナルにより実行される請求項１３に記載の方法。
【請求項１５】
第１当事者を電子的表示に関連させる上記段階は、第１通信ターミナルにおいて実行され、そして更に、第１当事者に対し第２通信ターミナルで通知を受け取る段階を備えた請求項１３に記載の方法。
【請求項１６】
第１当事者に関する情報を第１通信ターミナル及びネットワークの一方に記憶し、この情報は、第２通信ターミナルに操作を通知するための通知情報より成り、そして
電子的表示を記憶し、この電子的表示は、その電子的表示のソース、オリジネーター、ターゲット及び対象者の少なくとも１つに関する関連性データを含み、
第１当事者を電子的表示に関連させる上記段階は、上記関連性データを使用して第１当事者に関する情報を第１当事者の電子的表示に関連させることを含む請求項１５に記載の方法。
【請求項１７】
第２通信ターミナルで通知を受信し、そして第１当事者により感知されるべき触覚信号を与える段階を更に備えた請求項１５に記載の方法。
【請求項１８】
上記与えられた触覚信号は、振動、変形及び温度変化の１つを含む請求項１７に記載の方法。
【請求項１９】
上記第２通信ターミナルは、移動ターミナルより成り、そして上記触覚信号は、ショートレンジ通信リンクで移動ターミナルにワイヤレスリンクされた装置により第１当事者に与えられる請求項１７に記載の方法。
【手続補正書】
【提出日】平成17年1月31日(2005.1.31)
【手続補正１】
【補正対象書類名】特許請求の範囲
【補正対象項目名】請求項１３
【補正方法】変更
【補正の内容】
【請求項１３】
通信ネットワークの中で初期セルサーチを行うとともにユーザ装置ＵＥと基地局との間に通信リンクを形成するシステムであって、
通信信号の中の一次同期符号に関連したインデックス値を発生する第１のモジュールと、
前記インデックス値に応答して符号グループ番号を算定する第２のモジュールと、
前記符号グループ番号に応答して一次スクランブル符号を回復する第３のモジュールと、
前記第１のモジュール、第２のモジュールおよび第３のモジュールに接続され、前記通信信号の中の前記一次スクランブル符号を回復するように前記ＵＥのサーチ周波数の調整を制御するコントローラと
を含むシステム。
【手続補正２】
【補正対象書類名】明細書
【補正対象項目名】００３８
【補正方法】変更
【補正の内容】
【００３８】
これらスクランブル符号発生器４０１乃至４０８からのスクランブル符号出力と併せて、コントローラ１８からのチップオフセットおよびスロットオフセット出力に基づきアラインメント回路１７でタイミングリアラインメントした通信信号を相関器４１１乃至４１８に加える。これら相関器４１１乃至４１８は所定数のスロットにわたり非コヒーレント積分を用いる。この積分は複数フレームにわたって行うこともできる。上記２５６チップのデータに対応するシンボルの各々について相関をコヒーレントにとる。この相関の結果の絶対値を１フレームあたり１０＊Ｎシンボルにわたり累算する。ここで、Ｎはフレーム始点から累算すべきスロットの数である。一つのスロットには１０個の長さ２５６チップのデータ部分があり、したがって、１０個の２５６チップコヒーレント相関があり、スロットあたり１０回の累算がある。図１２は相関器４１１の詳細を示す。
【手続補正３】
【補正対象書類名】明細書
【補正対象項目名】００４６
【補正方法】変更
【補正の内容】
【００４６】
コントローラ１８は上述の判定論理を実行する。Ｘ個のフレームのあとステップ３の常時出力が論理ハイにならなければ、コントローラがＡＦＣ４に信号を送り、ＦＳＴの次のオフセット、例えばＳＦ１にステップするようにする。次に、ＡＦＣ４はこの新たなオフセット周波数をＦＡＴの周波数Ｆ０＋ＳＦ１と組み合わせて、その結果の周波数の出力をＶＣＯまたはＮＣＯ７に送り、ＵＥをこの周波数に維持する。
【手続補正書】
【提出日】平成17年2月3日(2005.2.3)
【手続補正１】
【補正対象書類名】特許請求の範囲
【補正対象項目名】全文
【補正方法】変更
【補正の内容】
【特許請求の範囲】
【請求項１】
バネ要素を有するスイッチアレイで利用する装置であって、
バネ要素と整列すべく穴を規定する底層と、
前記底層と噛み合い、前記底層内の前記穴を貫通した前記バネ要素の突起の上で前記底層から遠方へ持ち上げられる最上層と、
を含む装置。
【請求項２】
前記最上層が複数の最上層セクションを含み、前記最上層セクションの各々はユーザーにより加えられた力を前記バネ要素の１個へ向け、前記スイッチアレイは、キーボードである、請求項１に記載の装置。
【請求項３】
前記底層および最上層が、互いに噛み合うフック状要素の組を規定して、前記底層および前記最上層間の移動距離を規定する、請求項１に記載の装置。
【請求項４】
前記最上層が複数の最上層セクションを規定し、前記最上層セクションの各々が、前記底層のフック状要素と噛み合うべくフック状要素の組を規定する、請求項３に記載の装置。
【請求項５】
前記上層および底層がフィルムであり、前記フック状要素が前記フィルム上に形成されている、請求項４に記載の装置。
【請求項６】
前記最上層が、実質的な剛性要素および前記剛性要素間の弾性領域を含み、前記穴の１個を貫通した前記バネ要素の突起の上で前記剛性要素の各々が前記バネ要素の１個により持ち上げられる、請求項１に記載の装置。
【手続補正書】
【提出日】平成17年4月18日(2005.4.18)
【手続補正１】
【補正対象書類名】特許請求の範囲
【補正対象項目名】全文
【補正方法】変更
【補正の内容】
【特許請求の範囲】
【請求項１】
ポリマー骨格およびそれらに共有結合している複数の、ペンダントスチレン性マクロモノマーまたはフッ素化スチレン性マクロモノマーを含むイオン交換物質であって、ここで、該複数の、ペンダントスチレン性マクロモノマーまたはフッ素化スチレン性マクロモノマーは、一様な数の、スチレン性モノマー反復単位またはフッ素化スチレン性モノマー反復単位を含み、そして、ここで、ほとんど全ての、スチレン性モノマー反復単位またはフッ素化スチレン性モノマー反復単位が、少なくとも１つの荷電基を有する、イオン交換物質。
【請求項２】
前記ポリマー骨格が電子伝導性である、請求項１に記載のイオン交換物質。
【請求項３】
前記ポリマー骨格が多孔性無機ポリマーを含む、請求項１に記載のイオン交換物質。
【請求項４】
請求項１に記載のイオン交換物質を含む、触媒支持体。
【請求項５】
請求項１に記載のイオン交換物質を含む、プロトン交換膜。
【手続補正書】
【提出日】平成17年3月7日(2005.3.7)
【手続補正１】
【補正対象書類名】特許請求の範囲
【補正対象項目名】全文
【補正方法】変更
【補正の内容】
【特許請求の範囲】
【請求項１】
ユーザマシーンにソフトウェアアプリケーションをロードするアプリケーション用のソフトウェアエンジにおいて、アプリケーションのコアサービスはユーザマシーンで動作するためにアプリケーションの開始を可能にするようにユーザマシーンへロードされ、エンジンがそれに続いて、エンジンにより決定された優先順位にしたがってコアではないアプリケーションサービスをロードするソフトウェアエンジン。
【請求項２】
エンジンはコアサービスの一部であり、そのコアサービスをロードされ、エンジンはコアサービスのローディングの完了時に動作を開始し、コアではないサービスはエンジンにより制御される方法でロードされる請求項１記載のソフトウェアエンジン。
【請求項３】
優先順位はトップの優先順位を含んでおり、トップの優先順位はユーザによるアプリケーションとの対話の結果としてユーザマシーンで必要とされる任意のコアではないサービスまたはアプリケーションに対して与えられる請求項１記載のソフトウェアエンジン。
【請求項４】
制御はアプリケーションとのユーザの対話を考慮に入れ、コアではないサービスをロードする前に、これらはエンジンにより登録され、エンジンはリクエストされたコアではないサービスをロードする前にコアではないサービスの登録リストをチェックする請求項２記載のソフトウェアエンジン。
【請求項５】
アプリケーションに対する少なくとも１つのオブジェクトが記憶されることができるキャッシュが設けられ、エンジンはキャッシュされたオブジェクトの使用の追跡を維持するメモリ管理モジュールを含んでおり、メモリ管理モジュールは１以上のオブジェクトの割当てを解除することができ、キャッシュはアプリケーションがユーザマシーンに存在するときのみ動作可能である請求項１記載のソフトウェアエンジン。
【請求項６】
少なくとも１つのオブジェクトが位置されるオブジェクトリポジトリと、オブジェクト記述とを含んでおり、オブジェクト記述はオブジェクト基準、オブジェクトキー、基準カウンタ、タイムスタンプからなるグループから選択された１以上のものを含んでいる請求項５記載のソフトウェアエンジン。
【請求項７】
１以上のオブジェクトの割当て解除は任意のタイムオフセットを含んでおり、オブジェクトリポジトリのオブジェクトのオブジェクト記述が少なくともタイムオフセットに等しい時間に対してゼロに等しい基準カウンタを有するならば、対応するオブジェクト記述はオブジェクトリポジトリから除去される請求項５記載のソフトウェアエンジン。
【請求項８】
ローディングはインターネットによるダウンローディングである請求項１記載のソフトウェアエンジン。
【請求項９】
ソフトウェアエンジンを使用してユーザマシーンへソフトウェアアプリケーションをロードする方法において、ユーザがアプリケーションと対話することを可能にするためにアプリケーションのコアサービスをユーザマシーンへロードし、エンジンにより決定された優先順位にしたがってアプリケーションのコアではないサービスをロードするステップを含んでいるロード方法。
【請求項１０】
エンジンはコアサービスの一部であり、そのコアサービスをロードされ、エンジンはコアサービスのローディングの完了時に動作を開始し、コアではないサービスはロードする前に、エンジンにより登録される請求項９記載の方法。
【請求項１１】
優先順位により、トップの優先順位が生成され、トップの優先順位はユーザによるアプリケーションとの対話の結果としてユーザマシーンで必要とされる任意のコアではないアプリケーションのサービスに与えられ、ユーザがアプリケーションと対話するとき、アプリケーションは少なくとも１つのコアではないサービスをロードするようにエンジンにリクエストし、エンジンは登録をチェックし、少なくとも１つのコアではないサービスにローディングのトップの優先順位を与える請求項９記載の方法。
【請求項１２】
コアではないサービスのロードはエンジンにより制御される方法であり、制御はアプリケーションとのユーザの対話を考慮に入れている請求項１１記載の方法。
【請求項１３】
アプリケーションのオブジェクトは再使用のためにキャッシュに記憶可能であり、キャッシュされたオブジェクトは１以上のオブジェクトの割当てを解除することができるエンジンのメモリ管理モジュールを使用して追跡され、キャッシュはアプリケーションがユーザマシーンに存在するときにのみ動作可能である請求項９記載の方法。
【請求項１４】
オブジェクトはオブジェクト記述と共にキャッシュ中のオブジェクトリポジトリに位置され、オブジェクト記述はオブジェクト基準、オブジェクトキー、基準カウンタ、タイムスタンプからなるグループから選択された１以上のものを含んでいる請求項１３記載の方法。
【請求項１５】
割当て解除は任意のタイムオフセットを含んでおり、オブジェクトリポジトリのオブジェクト記述が少なくともタイムオフセットに等しい時間に対してゼロに等しい基準カウンタを有するならば、対応するオブジェクト記述はオブジェクトリポジトリから除去される請求項１３記載の方法。
【請求項１６】
ローディングはインターネットによるダウンローディングである請求項１３記載の方法。
【請求項１７】
キャッシュを含んでいるコンピュータメモリ管理システムをさらに含んでおり、アプリケーションのオブジェクトは再使用のためにキャッシュ中に記憶されることが可能であり、キャッシュはアプリケーションがユーザマシーンに存在するときにのみ動作可能であり、オブジェクトはオブジェクト記述と共にキャッシュのオブジェクトリポジトリ中に位置される請求項１記載のソフトウェアエンジン。
【請求項１８】
オブジェクト記述は、オブジェクト基準、オブジェクトキー、基準カウンタ、タイムスタンプからなるグループから選択された１以上のものを含んでおり、キャッシュされたオブジェクトは１以上のオブジェクトの割当てを解除することができるメモリ管理モジュールを使用して追跡され、割当て解除は任意のタイムオフセットを含んでいる請求項１７記載のソフトウェアエンジン。
【請求項１９】
オブジェクトリポジトリのオブジェクト記述が少なくともタイムオフセットに等しい時間にわたってゼロに等しい基準カウンタを有するならば、対応するオブジェクト記述はオブジェクトリポジトリから除去される請求項１８記載のソフトウェアエンジン。